(57)【特許請求の範囲】
【請求項１】
前面部、底部、後面部、両本体側壁部から成る容器本体と、覆蓋部、前蓋部、両側蓋部、前記前蓋部に取り付けた鋸状歯から成り前記容器本体の後面部上縁に折目を介して前記覆蓋部を連接した蓋体とから構成し、該蓋体により前記容器本体の開口面、前面部及び両本体側壁部をオーバーラップするラップカートンにおいて、前記容器本体の前面部上縁に折目を介して案内部を形成し、該案内部の両側に係止舌片を延設し、該係止舌片の下縁の前記前面部との境界部に切込みを設けると共に、前記案内部を前記折目により前記係止舌片と共に内側に折り曲げ、前記蓋体の閉蓋状態において前記係止舌片が前記両側蓋部の頂面内隅に前蓋貼着片によって形成した谷部と係合して開蓋を抑制することを特徴とするロール状包装材料用カートン。
【請求項２】
前記係止舌片は半円形状とし、その基端部位を直上折目が直交すると共に、前記基端部位と近接して前記案内部に斜状折目を並設し、前記係止舌片は前記前蓋貼着片の前記谷部寄りに設けた円弧状切欠と適合して当接するようにしたことを特徴とする請求項１記載のロール状包装材料用カートン。
【請求項３】
前記案内部の上縁に、前記容器本体に収納されるロール状フィルムと部分接触する波形形状とした引出し誘導部を付設したことを特徴とする請求項１または２記載のロール状包装材料用カートン。
【発明の詳細な説明】
【０００１】
【発明の属する技術分野】
本発明は、食品を包装したり、調理する際に使用するラップフィルムやアルミホイル等、長尺に巻回されたロールを収納し、必要長さを引出して鋸状刃により切断して使用した後、再閉蓋を適正、的確にし、かつ意図しない開蓋を抑止できるロール状包装材料用カートンに関するものである。
【０００２】
【従来の技術】
従来より提案されているラップケースの形態としては、実公昭６１−２１３７０号公報（巻回フィルムの収納箱用厚紙）には、いわゆるロールフィルムを引出す際、該ロールフィルムの飛び出しを防止するために誘導片を収納箱の前側面の外側に設ける構成が開示されている。実公平７−６０９２号公報（ロールシート収納容器）には、容器本体の前板の両側縁部、または左右側板の前縁部に蓋体の前方両側の内隅と係止する係止突片を延設する構成が示され、該係止突片が蓋体の左右両面から突出しないので、その破損や歪みもなく、蓋体の再閉蓋が確実かつ安定して行われる等としている。
また、実公平７−１２２６７号公報（包装用容器）には、容器本体の本体側壁の頂縁部に外側下方へ垂下する舌片を形成し、該舌片が蓋体側壁の内面の段部に係止される構成について知られ、容器本体に蓋体の確実な閉塞状態を保つことができる等と説明されている。
【０００３】
前記公知例に従えば、それぞれの特定の課題について一応の解決策を提示しているが、依然としてフィルムの引出し性の向上、ロール状フィルムの飛び出し防止、再閉蓋を適正、的確にすることのすべてにわたり、一挙に解決する提案であると評価されるまでには至っていないことと、堅牢性、製作コストの面からみた経済性の点でも解決すべき点のあることは否めなかった。
【０００４】
【発明が解決しようとする課題】
本発明の目的は、容器本体に形成した案内片両端に係止舌部を延設して蓋体の両側の頂面内隅の前蓋貼着片によって形成される谷部と係合させることにより、再閉蓋を適正、的確にし、しかも案内片自体の形状を改良することで、ロール状フィルムの引出し性を向上させ、フィルムの飛び出しを防止したロール状包装材料用カートンを提供することにある。
【０００５】
【課題を解決するための手段】
上記目的を達成するための本発明に係るロール状包装材料用カートンは、前面部、底部、後面部、両本体側壁部から成る容器本体と、覆蓋部、前蓋部、両側蓋部、前記前蓋部に取り付けた鋸状歯から成り前記容器本体の後面部上縁に折目を介して前記覆蓋部を連接した蓋体とから構成し、該蓋体により前記容器本体の開口面、前面部及び両本体側壁部をオーバーラップするラップカートンにおいて、前記容器本体の前面部上縁に折目を介して案内部を形成し、該案内部の両側に係止舌片を延設し、該係止舌片の下縁の前記前面部との境界部に切込みを設けると共に、前記案内部を前記折目により前記係止舌片と共に内側に折り曲げ、前記蓋体の閉蓋状態において前記係止舌片が前記両側蓋部の頂面内隅に前蓋貼着片によって形成した谷部と係合して開蓋を抑制することを特徴とする。
【０００６】
【発明の実施の形態】
以下に、本発明の最良の結果をもたらす実施の形態を図面に従い説明すると、図１は表面からみた全体の展開図、図２は裏面からみた一部切欠せる全体の展開図、図３は開蓋状態説明図、図４は要部説明図、図５は図３の蓋体を閉蓋した際のＶ−Ｖ線断面説明図、図６は図３の蓋体を閉蓋した際のＶＩ−ＶＩ線断面説明図である。
図７ないし図１２は他の実施例を示し、図７は表面からみた全体の展開図、図８は裏面からみた一部切欠せる全体の展開図、図９は開蓋状態説明図、図１０は要部説明図、図１１は図９の蓋体を閉蓋した際のＸＩ−ＸＩ線断面説明図、図１２は図９の蓋体を閉蓋した際のＸＩＩ−ＸＩＩ線断面説明図である。
【０００７】
本発明の説明上、図面に示すラップカートンは、紙管にロール状に巻回した合成樹脂フィルムを収納するカートンに関するものであり、該フィルムは一般家庭や店舗その他において、必要の都度その先部を必要長さのもとに引出し、主に魚介、蔬菜、果実類等の食品の包装用に使用される、いわゆる食品包装用ラップフィルムを例示している。従って、本発明は前記フィルムに限られずアルミホイル、ワックスペーパー、その他家庭または店舗等でのロール状包装材料についても利用可能なものである。
【０００８】
本発明のラップカートンのカートンブランクは、図１に示すように、長方形状の厚紙製で、組立て後は容器本体Ｒ、蓋体Ｌおよび切除部２０からなり、切除部２０を切除することで蓋体Ｌの開閉が可能となるもので、容器本体Ｒの後面部上縁に折目を介して、該容器本体Ｒの開口面をオーバーラップする蓋体Ｌが再閉蓋（リクローズ）可能に連接している。
図１ないし図６に基づいて具体的に説明すると、折目７を介して前面部１、底部３、後面部４、覆蓋部５、前蓋部６が順次に連接している。
前面部１上縁には、折目７ａを介し形成した案内部２Ａ両側に係止舌片８Ａを延設している。
前記前面部１、底部３、後面部４、覆蓋部５および前蓋部６両側には、それぞれ折目１７を介し前面貼着片１１、段落部１３を有する本体側壁部１２、後面側壁部１４、側蓋部１５および前蓋貼着片１６を延設している。
【０００９】
図中、１８は切除用のジッパー線、２０は開封用の切除部、１９はロール状フィルム切断用の鋸状歯（図２参照）であり、前蓋部６にそれぞれ付設されている。
前記前蓋貼着片１６は図３に示すとおり、側蓋部１５内側に貼着されるが、その形状は、切除部２０を除去した後の前蓋部６とほぼ同幅またはそれより幅狭として細長く形成することが必要である。これは、前記のとおり前蓋貼着片１６を側蓋部１５内側に貼着した場合、覆蓋部５寄りの側蓋部１５内面に谷部２１（図３参照）を形成させ、前記係止舌片８Ａ先端が係止できるようにするためである。
図中、１０は係止舌片８Ａの下縁に設けた切込みで、係止舌片８Ａの谷部２１への係止を確実にする。２２は案内部２Ａの上縁に設けた引出し誘導部であって、ロール状フィルムの引出し時に該フィルムと部分接触するよう波形にしたもので、これにより摩擦抵抗の低減が図れ、引出し性が良くなる。また、摩擦抵抗の低減により案内部２Ａへの負荷や衝撃が加わりにくくなり、変形や歪みの発生を抑えることができ、更には両側の係止舌片８Ａの係止機能に悪影響を与えることもない。
【００１０】
本発明の組立てについては、図２の展開状態から、まず案内部２Ａを折目７ａにより内折し、更に折目７を介し順次、底部３、後面部４、覆蓋部５および前蓋部６を折り曲げ、切除部２０の裏面と前面部１をスポット接着し、角筒状にする。更にロール状フィルムＦが定位置に内装された後、後面側壁部１４、前面貼着片１１、本体側壁部１２、続いて、前蓋貼着片１６、最後に側蓋部１５を折り込み貼着してカートン本体が組立てられる。
【００１１】
使用に際してはジッパー線１８からスポット接着された切除部２０を切除すれば、図３に示すように蓋体Ｌは開閉自在となるので、巻回されたロール状フィルムＦの端部を摘み出してフィルムを所望長さに引出し閉蓋する。フィルム引出しに際しては、フィルム下面全体が案内部２Ａ上縁に均等に接当しながら繰り出され前蓋部６に設けた切断用の鋸状歯１９で切断することになるものである。
【００１２】
なお、側蓋部１５に前蓋貼着部１６を貼着した部位は厚味を有し、該側蓋部１５内側に前蓋貼着片１６の厚味分が膨出した状態となるので、蓋体Ｌを容器本体Ｒに再閉蓋する過程では、閉蓋に伴って、案内部２Ａ両側に延設した係止舌片８Ａ先端はやや屈曲し変形して前蓋貼着片１６表面に圧接しながら摺動し、それを乗り越えると、前記谷部２１に至って係止し、蓋体Ｌ自体の意図しない開蓋を抑制する。
また、谷部２１が後面部４方向に対し、次第に幅広となるように前蓋貼着片１６の上縁を傾斜させておくと、係止舌片８Ａの係止が多少緩慢となるものの、解除、係止の繰り返しによる係止舌片８Ａの早期破損が防止できる。
前記係止舌片８Ａは、本体側壁部１２の段落部１３に適合し接当するため、閉蓋時に覆蓋部５内面と衝合、すなわち突き当ることがなく、その結果、蓋体Ｌ自体の浮き上りが生ぜず、適正に閉蓋する（図４、図５、図６参照）。
【００１３】
他の実施例として、図７ないし図１２に示すとおり、前記係止舌片８Ａに代る係止舌片８Ｂが挙げられる。
該係止舌片８Ｂの形状は、半円形状とし、その基端部位を直状折目９ａが直交し、しかもそれと近接して前記案内部２Ａに斜状折目９ｂを並設してある。
２３は前記前蓋貼着片１６の前記谷部２１寄りに設けた円弧状切欠であって、閉蓋時に、係止舌片８Ｂが直状折目９ａにより内折されて前記段落部１３に被さり、該係止舌片８Ｂは前蓋貼着部１６表面に圧接しながら摺動し、それを乗り越えると、前記谷部２１に至り係止し、それと同時に、前記円弧状切欠２３と適合し納まり、開蓋を抑制する。
【００１４】
また開蓋に伴い、内折されて係止している係止舌片８Ｂは、直ちに円弧状切欠２３から解除されない。円弧状切欠２３の上昇に伴い、係止舌片８Ｂも引上げられ、内折が多少戻った時点でようやく係止が解除されるが、係止舌片８Ｂに対し、相当な負荷がかかり、破損、変形を発生させる。
そこで、斜状折目９ｂを設けることで、係止舌片８Ｂに直接加わる開蓋時の負荷をこの斜状折目９ｂの谷折りにより軽減させようとするもので、係止舌片８Ｂの係止抵抗をやわらげる、一種の緩衝効果を発揮する。
【００１５】
【発明の効果】
以上のとおりの構成を有する本発明によれば、以下の効果をもたらすものである。
すなわち、請求項１の本発明によれば、ロール状フィルムＦの飛び出しを防止できると共に、係止舌片８Ａが蓋体Ｌ両側の頂面内隅に形成される谷部２１に係合する際に再閉蓋を適正、確実にし、不使用時に塵埃、害虫等の侵入を防止できる。
【００１６】
請求項２の本発明によれば、ロール状フィルムＦの飛び出しを防止できると共に、係止舌片８Ｂは意図しない開蓋を未然に抑制し、かつ開蓋時の抵抗をやわらげる一種の緩衝効果をもたらして、係止舌片８Ｂの変形や破損を防止し、係止機能を永く持続させるものである。
【００１７】
請求項３の本発明によれば、案内部２Ａに引出し誘導部２２を付設することによって、ロール状フィルムＦの飛び出しを効果的に防止できると共に、それと部分接触により摩擦抵抗を低減できるため、該フィルムＦの円滑な引出しが可能となる。特に、ポリ塩化ビニリデン等を主原料とする食品包装用ラップフィルムの場合、その密着性、自己粘着性を有するため、案内部２Ａ上縁全体と接触させながらしわが寄らずに、歪みを極力発生させないで所望量を引出し切断するのは慎重さが要求されていたが、前記部分接触によって容易に行うことができる。
更に、摩擦抵抗の低減により案内部２Ａへの負荷や衝撃が加わりにくくなるため、係止舌片８Ａ，８Ｂの係止機能に悪影響を与えることもなく、係止機能を永く持続させるものである。
【図面の簡単な説明】
【図１】表面からみた全体の展開図
【図２】裏面からみた一部切欠せる全体の展開図
【図３】開蓋状態説明図
【図４】要部説明図
【図５】図３の蓋体を閉蓋した際のＶ−Ｖ線断面説明図
【図６】図３の蓋体を閉蓋した際のＶＩ−ＶＩ線断面説明図
【図７】他の実施例の表面からみた全体の展開図
【図８】他の実施例の裏面からみた一部切欠せる全体の展開図
【図９】他の実施例の開蓋状態説明図
【図１０】他の実施例の要部説明図
【図１１】図９の蓋体を閉蓋した際のＸＩ−ＸＩ線断面説明図
【図１２】図９の蓋体を閉蓋した際のＸＩＩ−ＸＩＩ線断面説明図
【符号の説明】
Ｆ    ロール状フィルム
Ｒ    容器本体
Ｌ    蓋体
１    前面部
２Ａ    案内部
３    底部
４    後面部
５    覆蓋部
６    前蓋部
７，７ａ，１７    折目
８Ａ，８Ｂ    係止舌片
９ａ    直状折目
９ｂ    斜状折目
１０    切込み
１１    前面貼着片
１２    本体側壁部
１３    段落部
１４    後面側壁部
１５    側蓋部
１６    前蓋貼着片
１８    切除用のジッパー線
１９    鋸状歯
２０    切除部
２１    谷部
２２    引出し誘導部
２３    円弧状切欠
【図１】
0003657332.tif 000002
【図２】
0003657332.tif 000003
【図３】
0003657332.tif 000004
【図４】
0003657332.tif 000005
【図５】
0003657332.tif 000006
【図６】
0003657332.tif 000007
【図７】
0003657332.tif 000008
【図８】
0003657332.tif 000009
【図９】
0003657332.tif 000010
【図１０】
0003657332.tif 000011
【図１１】
0003657332.tif 000012
【図１２】
0003657332.tif 000013